(57)【特許請求の範囲】
【請求項１】
ワイヤー部の一端にパイプ状の支え軸を有する錠本体が、ワイヤー部の他端に前記支え軸の内孔に挿脱可能な連結軸を有する連結部が、それぞれ取り付けられており、前記錠本体は、前記支え軸上にロック機構を構成する複数個のロックギヤが回動可能に配備されかつ各ロックギヤ上にダイヤルがそれぞれ軸方向へ変位可能に嵌められてダイヤル列が構成されるとともに、各ロックギヤとダイヤルとの間にダイヤルの符号数に相当する数の噛合位置をもつ噛合部が形成されて成る符号錠において、
前記支え軸の先端部のダイヤル列の端部位置に、回動操作が可能な撮み板が配備されて成り、前記支え軸の先端部の外周面には軸方向に沿う第１の溝部と外周方向に沿う第２の溝部とを連続させたガイド溝が形成され、一方、前記撮み板には前記ガイド溝に先端部が係合するピンが径方向に植設されており、第２の溝部に前記ピンの先端部が係入するとき、各ダイヤルの軸方向への変位が規制されてロックギヤ上に各ダイヤルが噛合状態で定位するように撮み板が締め付けられた状態に設定され、第１の溝部に前記ピンの先端部が係入するとき、各ダイヤルとロックギヤとの噛合状態が外れるのに十分な大きさだけ撮み板および各ダイヤルが軸方向へ変位することが可能なように撮み板が緩められた状態に設定される符号錠。
【発明の詳細な説明】
【０００１】
【産業上の利用分野】
この発明は、例えば自転車用錠などに用いられる符号錠に関連し、特にこの発明は、複数個のダイヤルにより所望の解錠符号を自在に設定できる符号錠に関する。
【０００２】
【従来の技術】
従来、この種の符号錠として、実公昭６０−１３９７２号公報に記載された構造のものが提案されている。
この符号錠は、図１３に示すように、鎖，ワイヤーなどの可撓策（図示せず）の一端に錠本体６１が、他端に前記錠本体６１に連結される連結部６２が、それぞれ取り付けられた構造のものである。
【０００３】
前記錠本体６１は、ロック機構を構成する複数個のロックギヤ６３と、各ロックギヤ６３上に嵌められた複数個のダイヤル６４とでダイヤル列が構成されており、各ロックギヤ６３とダイヤル６４との間には、ダイヤル６４の符号数に相当する数の噛合位置をもつ噛合部が形成されている。
【０００４】
各ロックギヤ６３は、パイプ状の支え軸６５上に回動可能に配備され、前記支え軸６５の内孔６６に対し、前記連結部６２の連結軸６７が挿脱可能となっている。前記連結軸６７の外周面には、一定間隔毎に複数個の突起６８が突設され、この連結軸６７を支え軸６５の内孔６６へ挿入した後、ダイヤル操作により解錠符号を崩したとき、各突起６８が対応するロックギヤ６３と係合して施錠状態が形成される。
各ダイヤル６４はロックギヤ６３に対して軸方向へ変位可能であるが、各ダイヤル６４の変位はダイヤル列の端部に設けられた止め金６９により規制されている。
【０００５】
所望の解錠符号を設定する場合、まず前記止め金６９を取り外し、各ダイヤル６４を軸方向へ移動させてロックギヤ６３より抜き取る。しかる後、各ダイヤル６４につき、設定したい解錠符号に合わせて対応するロックギヤ６３との噛合位置を設定した上でロックギヤ６３上へそれぞれ嵌め込む。
【０００６】
【発明が解決しようとする課題】
しかしながらこの符号錠では、解錠符号を設定するのに、止め金６９の取外しおよび全てのダイヤル６４の抜取りが必要である上に、各ダイヤル６４を、向きを揃えて再度ロックギヤ６３上に嵌め込んで、止め金６９で固定する必要があるため、作業性が悪く、解錠符号の設定に手数がかかるという問題がある。しかも止め金６９と全てのダイヤル６４とを取り外すため、これら部品の紛失を招くおそれもある。
【０００７】
この発明は、上記問題に着目してなされたもので、各ダイヤルを取り外すことなく、解錠符号を自在に設定できる構成とすることにより、解錠符号の設定に手数がかからず、部品を紛失するおそれのない符号錠を提供することを目的とする。
【０００８】
【課題を解決するための手段】
この発明の符号錠は、ワイヤー部の一端にパイプ状の支え軸を有する錠本体が、ワイヤー部の他端に前記支え軸の内孔に挿脱可能な連結軸を有する連結部が、それぞれ取り付けられたものである。前記錠本体は、前記支え軸上にロック機構を構成する複数個のロックギヤが回動可能に配備されかつ各ロックギヤ上にダイヤルがそれぞれ軸方向へ変位可能に嵌められてダイヤル列が構成されるとともに、各ロックギヤとダイヤルとの間にダイヤルの符号数に相当する数の噛合位置をもつ噛合部が形成されている。
前記支え軸の先端部のダイヤル列の端部位置に、回動操作が可能な撮み板が配備されて成り、前記支え軸の先端部の外周面には軸方向に沿う第１の溝部と外周方向に沿う第２の溝部とを連続させたガイド溝が形成され、一方、前記撮み板には前記ガイド溝に先端部が係合するピンが径方向に植設されている。第２の溝部に前記ピンの先端部が係入するとき、各ダイヤルの軸方向への変位が規制されてロックギヤ上に各ダイヤルが噛合状態で定位するように撮み板が締め付けられた状態に設定され、第１の溝部に前記ピンの先端部が係入するとき、各ダイヤルとロックギヤとの噛合状態が外れるのに十分な大きさだけ撮み板および各ダイヤルが軸方向へ変位することが可能なように撮み板が緩められた状態に設定される。
【０００９】
【作用】
撮み板を緩めると、各ダイヤルは拘束が解除されて軸方向への変位が許容される。各ダイヤルを撮み板の変位可能な所定量だけ軸方向へ変位させると、各ダイヤルはロックギヤとの噛合状態が外れて回転自由な状態となる。各ダイヤルを設定すべき解錠符号に合わせてロックギヤ上に嵌め込んだ後、撮み板を締め付けると、各ダイヤルはロックギヤ上に噛合状態で定位する。
【００１０】
【実施例】
図１は、この発明の一実施例である符号錠１の外観を示す。
図示例の符号錠１は、ワイヤー錠と称される自転車用錠であるが、この発明は自転車用錠に限らず、他の用途にも適用可できる。
【００１１】
この符号錠１は、可撓性のあるワイヤー部２の一端に錠本体３が、他端に前記錠本体３に連結される連結部４が、それぞれピン５により屈曲自在に枢着された構造のものである。
前記ワイヤー部２は、芯材としてのワイヤーを合成樹脂製チューブにより被覆して構成されているが、これに限らず、例えば鎖などを用いてワイヤー部２を構成してもよい。
【００１２】
前記連結部４は、図２〜図５に示すように、内側に円形の凹部１１が形成された合成樹脂製のホルダ１０を有し、前記凹部１１の中心位置に連結軸１２が突設されている。前記連結軸１２の外周面には、所定の高さのガイド板１３が全長にわたり一体形成されており、このガイド板壁１３の上端に、後述するロックギヤ２５の幅に相当する間隔で４個の矩形状の係合突起１４が一体形成されている。
【００１３】
前記錠本体３は、内側に円形の取付穴２１が設けられた合成樹脂製のホルダ２０を有し、前記取付穴２１内に前記連結軸１２と同一の長さの支え軸２２の一端が嵌入されている。前記支え軸２２は、パイプ状であって、全長にわたる内孔２３を有しており、この支え軸２２上に４個の位置決めバネ２４を等間隔に装着して、各位置決めバネ２４上にロックギヤ２５を回動可能に嵌合してある。
【００１４】
各ロックギヤ２５上には、合成樹脂製のダイヤル２６がそれぞれ軸方向へ変位可能に嵌められて、ダイヤル列が形成されている。各ダイヤル２６の外周面には「０」から「９」までの数字が符号として等角度毎に刻まれており、解錠時や解錠符号設定時には、各ホルダ１０，２０に付された目印２７の位置に各ダイヤル２６の解錠符号が合わせられる。
なお各ダイヤル２６は、外周面の「０」の位置を台形状に突出させて、ダイヤル操作のための撮み操作部２８が一体形成してある。
【００１５】
各ロックギヤ２５の外周面には、幅中央よりホルダ２０の側に２個の矩形状の突子３０が対角位置に一体形成され、一方、各ダイヤル２６の内周面には、ホルダ２０の側に、ダイヤル２６の符号数に相当する数（１０個）の突部３２および隣合う突部３２，３２間に前記ロックギヤ２５の各突子３０と係合する凹溝部３３が形成してある。前記ダイヤル２６の凹溝部３３とロックギヤ２５の各突子３０とで噛合部３４が構成される。
【００１６】
前記突部３２および凹溝部３３の幅は、隣合う突子３０，３０の間隔より小さく設定してあり、従ってダイヤル２６を図６および図７ホルダ２０と反対側へ変位させて、ロックギヤ２５との噛合状態が外れたとき、前記突部３２が突子３０，３０間に位置して、ダイヤル２６が回転自由な状態となる。
【００１７】
各ロックギヤ２５の内孔３５には、図８および図９に示すように、ほぼ幅中央の位置に前記連結部４における係合突起１４が係合する係合壁３６が周設されると共に、この係合壁３６の所定角度位置には、前記係合突起１４が通過できる開口面積の切欠３７が開設されている。この係合壁３６および切欠３７と係合突起１４とでロック機構３８が構成される。
また各ロックギヤ２５の内孔３５の内周面には、ホルダ２０の側に、ダイヤル２６の符号数に相当する数（１０個）の切込３９が等角度毎に形成されている。
【００１８】
前記位置決めバネ２４は、バネ板を屈曲して形成されたもので、図３に示されるように、支え軸２２の外周面に嵌合される左右の嵌合部４０，４０と、外向きに突出するＶ字型の外向き突部４１とを有するもので、各嵌合部４０と外向き突部４１との間には、支え軸２２の外周面に形成された２本の固定溝４２にそれぞれ係合するＶ字型の内向き突部４３が形成されている。前記外向き突部４１は、この位置決めバネ２４上に嵌め込まれたロックギヤ２５の各切込３９と係合するもので、ダイヤル２６と一体にロックギヤ２５を回動させたとき、外向き突部４１が弾性変形しつつ各切込３９と順次係合し、ダイヤル２６の各符号が前記目印２７の位置に停止する。
【００１９】
前記支え軸２２には、前記連結部４におけるガイド板１３をスライドさせるガイド溝４４が全長にわたって形成されており、このガイド溝４４の位置に各ロックギヤ２５の前記切欠３７が対向位置したとき、前記連結部４における各係合突起１４が通過可能となり、連結部４の連結軸１２を支え軸２２の内孔２３へ挿入することができる。
【００２０】
隣合うロックギヤ２５，２５間にはワッシャ４５が介装され、先端部のロックギヤ２５の外側にはストップリング４６が嵌められてロックギヤ２５の軸方向への移動が阻止されている。
前記支え軸２２の先端部には、各ダイヤル２６の軸方向への変位を規制してロックギヤ２５上に各ダイヤル２６を噛合状態で定位させるための撮み板４７が配備されている。
【００２１】
前記撮み板４７は、図１０および図１１に示すように、支え軸２２の挿脱が可能な貫通孔４８を有し、貫通孔４８の内周面には前記連結軸４の係合突起１４が通過可能な大きさの切溝４９が長さ方向に形成されている。
また撮み板４７の所定の角度位置には径方向へピン５０が植設され、ピン５０の先端部が貫通孔４８の内部へ突出している。一方、支え軸２２の先端部の外周面には、図１２に示すように、ガイド溝５１が形成され、このガイド溝５１に前記ピン５０の先端部が係合する。
【００２２】
前記ガイド溝５１は、軸方向に沿う第１の溝部５１ａに、外周方向に沿う第２の溝部５１ｂを連続させて成り、第１の溝部５１ａの溝端は支え軸２２の端面の手前に位置する。
このガイド溝５１の第１の溝部５１ａに前記ピン５０の先端部が係入しているとき（図１１の状態）、撮み板４７は緩められた状態にあり、撮み板４７および各ダイヤル２６は第１の溝部５１ａの溝長さ分だけ軸方向へ変位可能である。この第１の溝部５１ａの溝長さ、すなわち撮み板４７および各ダイヤル２６の軸方向への変位量は、各ダイヤル２６とロックギヤ２５との噛合状態が外れるのに十分な大きさに設定される。
また第２の溝部５１ｂに前記ピン５０の先端部が係入しているとき（図１０の状態）、撮み板４７は締め付けられた状態にあり、各ダイヤル２６は撮み板４７により軸方向の変位が規制される。前記ピン５０が第２の溝部５１ｂの溝端に達するまで撮み板４７を回動したとき、前記切溝４９と支え軸２２のガイド溝４４とが一致する。
【００２３】
上記構成の符号錠１において、解錠符号を設定するには、撮み板４７を摘んで回動すると、ピン５０の先端部がガイド溝５１の第２の溝部５１ｂを摺動して第１の溝部５１ａの位置に達する。これにより撮み板４７は支え軸２２の先端部の方向へ第１の溝部５１ａの溝長さだけ変位することが可能となり、各ダイヤル２６は撮み板４７による拘束状態から解放され、軸方向への変位が許容される。
【００２４】
つぎに各ダイヤル２６を摘んで、撮み板４７の変位量だけ軸方向へ変位させると、各ダイヤル２６はロックギヤ２５との噛合状態が外れて回転自由な状態となる。しかる後、各ダイヤル２６について、設定すべき解錠符号を目印２７の位置に合わせて再度ロックギヤ２５と噛み合わせた後、撮み板４７を締付け操作すると、各ダイヤル２６は軸方向の変位が規制され、ロックギヤ２５上に噛合状態で定位する。
【００２５】
【発明の効果】
この発明は上記の如く、支え軸の先端部のダイヤル列の端部位置に回動操作が可能な撮み板を配備し、支え軸の先端部の外周面には軸方向に沿う第１の溝部と外周方向に沿う第２の溝部とを連続させたガイド溝を形成する一方で撮み板にはガイド溝に先端部が係合するピンが径方向に植設し、第２の溝部にピンの先端部が係入するとき、各ダイヤルの軸方向への変位が規制されてロックギヤ上に各ダイヤルが噛合状態で定位するように撮み板を締め付けた状態に設定し、第１の溝部にピンの先端部が係入するとき、各ダイヤルとロックギヤとの噛合状態が外れるのに十分な大きさだけ撮み板および各ダイヤルが軸方向へ変位することが可能なように撮み板を緩めた状態に設定するようにしたから、各ダイヤルを取り外すことなく、撮み板と各ダイヤルとを所定量だけ軸方向へ変位させるだけで、任意の解錠符号を容易に設定でき、解錠符号の設定作業に手数を要さない。
また撮み板および各ダイヤルは、軸方向へ変位させるだけで、取り外されることがないから、構成部品を紛失するおそれもない。
【図面の簡単な説明】
【図１】この発明の一実施例である符号錠の外観を示す正面図である。
【図２】符号錠の主要部を示す断面図である。
【図３】図２のＡ−Ａ線に沿う断面図である。
【図４】符号錠の主要部を分解した状態を示す正面図である。
【図５】錠本体と連結部の構成を示す正面図である。
【図６】撮み板を緩めた状態の錠本体を示す正面図である。
【図７】撮み板を緩めた状態の錠本体および連結部を示す断面図である。
【図８】ロックギヤの一方の側面図である。
【図９】ロックギヤの他方の側面図である。
【図１０】撮み板の締め付け時の断面図である。
【図１１】撮み板の緩め時の断面図である。
【図１２】支え軸の先端部を示す斜視図である。
【図１３】従来例の一部を断面した正面図である。
【符号の説明】
１    符号錠
２５  ロックギヤ
２６  ダイヤル
３４  噛合部
３８  ロック機構
４７  撮み板
【図１】
0003558772.tif 000002
【図２】
0003558772.tif 000003
【図３】
0003558772.tif 000004
【図４】
0003558772.tif 000005
【図５】
0003558772.tif 000006
【図６】
0003558772.tif 000007
【図７】
0003558772.tif 000008
【図８】
0003558772.tif 000009
【図９】
0003558772.tif 000010
【図１０】
0003558772.tif 000011
【図１１】
0003558772.tif 000012
【図１２】
0003558772.tif 000013
【図１３】
0003558772.tif 000014